(57)【要約】【課題】上下に並んで配置される上下部ユニット３，５及び中間ユニット８の開口を共通の扉で開閉する場合に、その共通扉に加工や金具の取付けを要することなく手掛かり部が設けられるようにして、ハンドルレスデザインの収納装置の製造コストの低減を図る。【解決手段】壁面収納装置Ａは、上下に間隔をあけて配置される上部及び下部ユニット３，５と、これらユニット３，５間に配置され、左右幅がユニット３，５よりも小さい１つの矩形箱状の中間ユニット８とを備えている。上部及び下部ユニット３，５の開口の左側と中間ユニット８の開口の全体とを開閉する揺動型の共通扉３５がユニット３，５，８に跨がるように設けられ、共通扉３５の左右幅は中間ユニット８よりも大きく形成され、共通扉３５の揺動端部たる右端部には、共通扉３５の閉じ位置で中間ユニット８の右側側板１１よりも右方向に突出する手掛かり部としての突出部３７が設けられている。【選択図】図５
2020090807.tif 000002
【特許請求の範囲】
【請求項１】
壁面に固定支持される壁面収納装置であって、
少なくとも１つの矩形箱状の第１収納部と、該第１収納部よりも小さい左右幅を有する少なくとも１つの矩形箱状の第２収納部とが上下方向に隣接して並んだ状態で配置されており、
上記第１収納部の開口の一部と、第２収納部の開口の全体とを開閉する揺動型の共通扉が第１及び第２収納部に跨がるように設けられ、
上記共通扉の左右幅は第２収納部の左右幅よりも大きく形成されていて、該共通扉の揺動端部には、共通扉の閉じ位置で第２収納部の側板よりも左右方向に突出する突出部が設けられていることを特徴とする壁面収納装置。
【請求項２】
請求項１において、
共通扉は、第２収納部の上下中間部において上下に分割されていることを特徴とする壁面収納装置。
【請求項３】
請求項１又は２において、
上下２つの第１収納部間の左右一側部に１つの第２収納部が配置されていることを特徴とする壁面収納装置。
【請求項４】
請求項１又は２において、
上下２つの第１収納部間の左右両側部にそれぞれ第２収納部が配置されていることを特徴とする壁面収納装置。
【請求項５】
請求項３又は４において、
第２収納部は、上下端部がそれぞれ上側及び下側の第１収納部に連結固定された左右の側板を有し、該第２収納部の天板及び底板はそれぞれ上記上側及び下側の第１収納部の一部で構成されていることを特徴とする壁面収納装置。
【発明の詳細な説明】
【技術分野】
【０００１】
本発明は、壁面収納装置に関する。
【背景技術】
【０００２】
従来、特許文献１に示されるように、箱状の収納本体と、一側部が収納本体に回動可能に支持され、収納本体の開口を開閉する矩形板状の扉とを備えた扉付き収納装置はよく知られている。この特許文献１のものでは、扉の一側部以外の側部に該側部の裏面側を切り欠いた切欠部を形成して、扉の閉じ位置で切欠部の裏側に空間が生じるようにし、その空間に指を入れて扉に引っ掛けることで、扉を開くようにしている。
【０００３】
また、特許文献２には、部屋の互いに直交する後壁面及び側壁面の間の入り隅部の壁面間に固定支持される収納家具として、後壁面に固定された背板と、側壁面に固定された側板と、背板及び側板に上下に並べられて固定された複数の棚板とを有する棚構成体を設け、棚構成体前側の側壁面に、棚構成体の上下寸法よりも大きい上下高さ及び棚板の左右長さよりも大きい左右幅を有する扉を一端部で回動可能に支持して、その扉により棚構成体の前側開口を開閉するようにし、扉の閉じ位置では、その他端部である回動端部を棚構成体の棚板において側板と反対側端部の位置よりも突出させて、この扉により棚板を前側から隠すようにすることが提案されている。
【０００４】
この特許文献２の収納家具は、棚構成体における側壁面と反対側端部に側板がなく、その反対側端部は常時開放されているので、閉じ位置にある扉を開くときには、棚構成体の開放端部に手を入れることで、その手を扉に引っ掛けることができる。
【先行技術文献】
【特許文献】
【０００５】
【特許文献１】特開２００７−１７００１１号公報
【特許文献２】特開２０１７−６６６０９号公報
【発明の概要】
【発明が解決しようとする課題】
【０００６】
ところで、例えば建物の玄関等にその壁面に固定支持されて配置される収納装置としては、上部ユニット（天袋ユニット）及び下部ユニットと、それらの間に隣接して配置される中間ユニットとに分割されたものが一般的に用いられている。各ユニットは矩形箱状とされ、上部及び下部ユニットの左右幅は互いに略同じで、中間ユニットの左右幅は上部及び下部ユニットよりも小さくされており、収納装置は、上部及び下部ユニットの左右一側部に１つの中間ユニットが配置されてコ字型とされたもの、或いは上部及び下部ユニットの左右両側部にそれぞれ中間ユニットが配置されたロ字型とされたものが用いられる。
【０００７】
このような収納装置においては、上部及び下部ユニットや中間ユニットのユニット毎にそれぞれ扉を設けて、各ユニットの開口を個別の扉によって開閉するのが一般的であるが、意匠性の向上を図る等の観点では、上下に隣接するユニットの開口を両ユニットに跨がった共通扉により開閉するようにしてもよい。
【０００８】
そして、その共通扉にハンドルを付けないハンドルレスデザインとする場合、共通扉を閉じ位置から開くために、その揺動端部に何等かの手掛かり部が必要となる。この手掛け部として、共通扉の木口面に特許文献１に示すような切欠き、或いは凹部を設けてもよいが、その切欠きや凹部等を形成するための特別な作業や手間がかかり、製造コストがかかる。その他、共通扉に手掛かり用引手金具やプッシュオープン金具を設けてもよいが、その取付けの手間や部品としての金具が必要となり、やはりコストアップに繋がる。
【０００９】
本発明は斯かる点に鑑みてなされたもので、その目的は、上記のように上下に並んで配置される収納部の開口を共通の扉で開閉する収納装置の構造に工夫を加えることで、その共通扉に対する特別な加工や金具の取付けを要することなく手掛かり部が設けられるようにして、ハンドルレスデザインの収納装置の製造コストの低減を図ることにある。
【課題を解決するための手段】
【００１０】
上記の目的を達成すべく、この発明では、上下に隣接して配置される収納部の一方の左右幅が他方よりも小さいことを利用し、その小さい側の収納部の左右幅よりも共通扉の左右幅を大きくし、その差の分だけ共通扉を収納部の側板から突出させて、その突出部を手掛かり部とするようにした。
【００１１】
具体的には、第１の発明は、壁面に固定支持される壁面収納装置であって、少なくとも１つの矩形箱状の第１収納部と、この第１収納部よりも小さい左右幅を有する少なくとも１つの矩形箱状の第２収納部とが上下方向に隣接して並んだ状態で配置されており、第１収納部の開口の一部と、第２収納部の開口の全体とを開閉する揺動型の共通扉が第１及び第２収納部に跨がるように設けられ、この共通扉の左右幅は第２収納部の左右幅よりも大きく形成されていて、該共通扉の揺動端部には、共通扉の閉じ位置で第２収納部の側板よりも左右方向に突出する突出部が設けられていることを特徴とする。
【００１２】
この第１の発明では、第１収納部と、それよりも小さい左右幅を有する第２収納部とが上下に隣接して配置され、共通扉は両収納部に跨がるように配置されて、この共通扉により第１収納部の開口の一部と、第２収納部の開口の全体とが開閉される。こうして共通扉によって隣接する２つの収納部の開口を開閉するので、共通扉が２つの収納部に跨がって配置されて、その大きさも大きくなり、すっきりした外観見映えが得られて収納装置全体の意匠性が高くなる。
【００１３】
また、共通扉の左右幅は第２収納部の左右幅よりも大きく形成され、共通扉の揺動端部に、共通扉の閉じ位置で第２収納部の側板よりも左右方向に突出する突出部が設けられているので、その閉じ位置にある共通扉の突出部を手掛かり部とし、突出部に手を掛けて引っ張ることで、共通扉を開くことができる。この突出部の形成は、単に共通扉の左右幅の寸法を第２収納部の左右幅よりも大きく設定するだけで済み、その共通扉に対する切欠きや凹部等の加工、引手金具やプッシュオープン金具の取付けは全く不要となり、その分、製造コストを下げることができる。よって、ハンドルレスデザインの収納装置を低コストで製造することができる。
【００１４】
第２の発明は、第１の発明において、共通扉は、第２収納部の上下中間部において上下に分割されていることを特徴とする。このように共通扉を上下に分割するときに、その分割位置を第２収納部の上下中間部とすることで、分割位置は第１及び第２収納部間の境界部とは異なる位置となり、共通扉を開いたときに、その分割位置とは予想できない関係にある収納部が露出することになり、意外性を得ることができる。また、共通扉が分割されていることにより、その分割扉が小さくかつ軽くなり、分割されていない共通扉を開く場合に比べ、第１及び第２収納部のうちの必要な部分のみを小さな力で開閉できる。しかも、分割されている分割扉が小さくなることで、その反りも生じ難くなり、収納装置の外観見映えが安定する。
【００１５】
第３の発明は、第１又は第２の発明において、上下２つの第１収納部間の左右一側部に１つの第２収納部が配置されていることを特徴とする。このことで、正面から見てコ字状のハンドルレスデザインの壁面収納装置が得られる。
【００１６】
第４の発明は、第１又は第２の発明において、上下２つの第１収納部間の左右両側部にそれぞれ第２収納部が配置されていることを特徴とする。このことで、正面から見てロ字状のハンドルレスデザインの壁面収納装置が得られる。
【００１７】
第５の発明は、第３又は第４の発明において、第２収納部は、上下端部がそれぞれ上側及び下側の第１収納部に連結固定された左右の側板を有し、該第２収納部の天板及び底板はそれぞれ上記上側及び下側の第１収納部の一部で構成されていることを特徴とする。
【００１８】
この第５の発明では、第２収納部は、上側及び下側の第１収納部に連結固定された左右の側板を有するものの、その天板は上側の第１収納部の一部で構成され、底板は下側の第２収納部の一部で構成されているので、第２収納部の天板が上側の第１収納部の一部として、また底板が下側の第１収納部の一部としてそれぞれ兼用されることとなり、第２収納部と上側及び下側の第１収納部とが接する部分で２枚の板材が重なった構造はなくなる。そのため、第２収納部は、少なくとも左右の側板だけで済み、板材の使用量を減らして材料や製造コスト等を低減することができる。また、板材の重なった部分がなくなるので、収納装置全体で板厚が同等になり、すっきりした外観見映えが得られる。
【発明の効果】
【００１９】
以上説明のように、本発明によると、第１収納部とそれよりも左右幅の小さい第２収納部とを上下方向に隣接して並んだ状態で配置し、第１収納部の開口の一部と、第２収納部の開口の全体とを開閉する揺動型の共通扉を両収納部に跨がるように設け、その共通扉の左右幅を第２収納部の左右幅よりも大きく形成して、共通扉の揺動端部に第２収納部の側板よりも突出する突出部を設けたことにより、閉じ位置にある共通扉の突出部を手掛かり部として、共通扉を開くことができ、共通扉に対する切欠きや凹部等の加工、引手金具やプッシュオープン金具の取付けを不要として、ハンドルレスデザインの収納装置の製造コストを下げることができる。
【図面の簡単な説明】
【００２０】
【図１】図１は、本発明の実施形態に係る壁面収納装置の全体構成を示す正面図である。
【図２】図２は、壁面収納装置の全体構成を示す側面図である。
【図３】図３は、壁面収納装置の装置本体を示す正面図である。
【図４】図４は、壁面収納装置の装置本体を示す分解斜視図である。
【図５】図５は、要部の拡大正面図である。
【発明を実施するための形態】
【００２１】
以下、本発明の実施形態を図面に基づいて詳細に説明する。以下の実施形態の説明は、本質的に例示に過ぎず、本発明、その適用物或いはその用途を制限することを意図するものでは全くない。
【００２２】
図１及び図２は本発明の実施形態に係る壁面収納装置Ａを示し、この壁面収納装置Ａは、例えば玄関や台所等の壁面Ｗに固定支持されて収納のために使用される。尚、以下の説明では、「左」は壁面Ｗに向かって左側を言い、「右」は壁面Ｗに向かって右側を言うこととする。
【００２３】
壁面収納装置Ａは、例えば木質材料からなる収納本体１と扉３１〜３５とを備えている。図３及び図４に示すように、収納本体１は、第１収納部としての上部ユニット３（天袋ユニット）及び下部ユニット５と、第２収納部としての１つの中間ユニット８とを備え、これらはいずれも前後方向の奥行が同じで前側に開放された矩形状の箱体からなり、背面側（後側）で壁面Ｗに固定されるようになっている。
【００２４】
具体的には、上部ユニット３は左右方向に細長い箱体からなり、左右の側板３ａ，３ｂ、天板３ｃ及び底板３ｄを有する。この実施形態では、天板３ｃは両側板３ａ，３ｂに対し、左端部下面が左側の側板３ａの上端面に、また右端面が右側の側板３ｂの上端部左側面にそれぞれ当接した状態で固定されている。また、底板３ｄは両側板３ａ，３ｂに対し、左端部上面が左側の側板３ａの下端面に、また右端面が右側の側板３ｂの下端部左側面にそれぞれ当接した状態で固定されている。上部ユニット３の内部には、左右中央よりも左側寄り位置に上下方向の仕切板３ｆが配置され、仕切板３ｆの上端面は天板３ｃ下面に、また下端面は底板３ｄ上面にそれぞれ当接して固定されており、この仕切板３ｆにより上部ユニット３の内部空間が左右２つの空間に区画されている。さらに、２つの空間内の後端部にはそれぞれ背板３ｅ，３ｅが左右に分かれた状態で嵌め込まれ、各背板３ｅは周縁端面を側板３ａ，３ｂ、天板３ｃ、底板３ｄ及び仕切板３ｆに当接させた状態でそれらに一体的に固定されている。
【００２５】
一方、下部ユニット５も左右方向に細長い箱体からなり、その高さが上部ユニット３よりも２倍近く大きいだけであり、下部ユニット５の左右長さ及び奥行は上部ユニット３と同じとされている。すなわち、下部ユニット５も、左右の側板５ａ，５ｂ、天板５ｃ及び底板５ｄを有する。この実施形態では、天板５ｃは両側板５ａ，５ｂに対し、左端部下面が左側の側板５ａの上端面に、また右端部下面が右側の側板５ｂの上端面にそれぞれ当接した状態で固定されている。また、底板５ｄは両側板５ａ，５ｂに対し、左端面が左側の側板５ａの下端部右側面に、また右端面が右側の側板５ｂの下端部左側面にそれぞれ当接した状態で固定されている。下部ユニット５の内部には、左右中央よりも左側寄り位置に上下方向の仕切板５ｆが配置され、仕切板５ｆの上端部は天板５ｃ下面に、また下端部は底板５ｄ上面にそれぞれ固定されており、この仕切板５ｆにより下部ユニット５の内部空間が左右２つの空間に区画されている。さらに、２つの空間内の後端部にはそれぞれ背板５ｅ，５ｅが左右に分かれた状態で嵌め込まれ、各背板５ｅは周縁端面を側板５ａ，５ｂ、天板５ｃ、底板５ｄ及び仕切板５ｆに当接させた状態でそれらに一体的に固定されている。
【００２６】
そして、下部ユニット５は上部ユニット３の真下位置に上下に間隔をあけて重なるように配置され、上部ユニット３の左右の側板３ａ，３ｂの真下位置に下部ユニット５の左右の側板５ａ，５ｂが、また上部ユニット３の仕切板３ｆの真下位置に下部ユニット５の仕切板５ｆがそれぞれ位置している。
【００２７】
尚、上部及び下部ユニット３，５における側板３ａ，３ｂ，５ａ，５ｂ、天板３ｃ，５ｃ、底板３ｄ，５ｄ、仕切板３ｆ，５ｆ及び背板３ｅ，５ｅの接続構造は上記説明の例に限定されない。
【００２８】
上記中間ユニット８も見掛け上は基本的に矩形箱状のもので、上記上部及び下部ユニット３，５間の左側部に配置され、この中間ユニット８の左右幅（左右長さ）は上部及び下部ユニット３，５よりも小さくなっている。
【００２９】
そして、図５にも示すように、中間ユニット８は、上下端部がそれぞれ上部及び下部ユニット３，５に連結固定された左右の側板１０，１１を有する。具体的には、中間ユニット８の左側の側板１０は、上端部が上部ユニット３の左側の側板３ａと底板３ｄを介して連続し、下端部が下部ユニット５の左側の側板５ａと天板５ｃを介して連続するように配置され、この左側の側板１０の上端部は、上部ユニット３の底板３ｄの左端部に、また下端部は、下部ユニット５の天板５ｃの左端部にそれぞれダボ構造により連結固定されている。ダボ構造とは、図示しないが、互いに対向して当接する面の一方にダボ穴を形成し、他方にダボを突設するか、或いは当接する面の両方にダボ穴とダボとを互いに嵌合可能に設けて、そのタボをダボ穴に嵌合することで、両者を継ぎ合わせる構造である。
【００３０】
これに対し、中間ユニット８の右側の側板１１も、上部ユニット３の底板３ｄと下部ユニット５の天板５ｃとの間に配置され、この右側の側板１１の上端部は上部ユニット３の底板３ｄに、また下端部は下部ユニット５の天板５ｃにそれぞれダボ構造により連結固定されている。この右側の側板１１は、上部及び下部ユニット３，５の仕切板３ｆ，５ｆの位置よりも少し（例えば２２ｍｍ）だけ左側に位置しており、このことで、右側の側板１１と上部及び下部ユニット３，５の仕切板３ｆ，５ｆとは、前側から見て直線状に連続していない配置となっている。
【００３１】
以上の構造により、中間ユニット８は天板及び底板を有する矩形箱状の構造であるが、その天板は上部ユニット３の一部である、底板３ｄの左側寄り部分で、また底板は下部ユニット５の一部である、天板５ｃの左側寄り部分でそれぞれ構成されている。換言すれば、中間ユニット８は、上下端部がそれぞれ上部及び下部ユニット３，５に連結固定された左右の側板１０，１１と、上部ユニット３の底板３ｄの左側寄り部分（上部ユニット３の一部）で構成された天板と、下部ユニット５の天板５ｃの左側寄り部分（下部ユニット５の一部）で構成された底板とを有する。
【００３２】
中間ユニット８はさらに背板１２を有する。図５に示すように、この背板１２は、その左右端部が左右の側板１０，１１後端部の内面（対向面）に形成した上下方向の嵌合溝（図示せず）に嵌合されて接着剤により接着され、さらに例えば上下中央位置に配置した左右のＬ字金具１５，１５によって連結固定されている。背板１２後側の壁面Ｗには図外の横桟が配置されており、各Ｌ字金具１５の一側部をビス（図示せず）により側板１０，１１に螺合して取付固定するとともに、Ｌ字金具１５の他側部、背板１２及び横桟を貫通するビス（図示せず）を壁面Ｗに螺合することで、背板１２を側板１０，１１と共に壁面Ｗに固定するようになっている。
【００３３】
尚、背板１２の側板１０，１１への固定構造は、上記の他、側板１０，１１後端面の内側に段差状の切欠きを形成して、その切欠きに背板１２の左右端部を側板１０，１１後面と背板１０，１１後端面とが面一になるように嵌め込んで接着剤により接着固定してもよく、それに加えて、上記と同様にＬ字金具１５を用いて背板１２を側板１０，１１と共に壁面Ｗに固定するようにしてもよい。
【００３４】
また、本発明は、中間ユニット８が背板１２のないものも含んでおり、その場合は側板１０，１１をＬ字金具１５によって壁面Ｗに固定するか、或いは側板１０，１１を壁面Ｗに固定せずに上部及び下部ユニット３，５のみに連結した構造とすればよい。
【００３５】
このように、壁面収納装置Ａは、１つの中間ユニット８が、上部及び下部ユニット３，５の左側部間に配置されていて、正面から見てコ字状（詳しくはコ字を左右逆にした形状）の収納装置となる。
【００３６】
尚、本実施形態では、上部及び下部ユニット３，５の側板３ａ，３ｂ，５ａ，５ｂ、天板３ｃ，５ｃ、底板３ｄ，５ｄ、背板３ｅ，５ｅ、仕切板３ｆ，５ｆ、並びに中間ユニット８の側板１０，１１はいずれも同じ厚さ（例えば１５ｍｍ）の板材が用いられ、中間ユニット８の背板１２はそれよりも薄い板材が用いられている。
【００３７】
また、図示しないが、上部ユニット３の側板３ａ，３ｂ及び仕切板３ｆと、下部ユニット５の側板５ａ，５ｂ及び仕切板５ｆと、中間ユニット８の側板１０，１１とにはそれぞれ高さ位置の異なる多段のダボ穴が形成されており、この同じ高さ位置のダボ穴にダボを嵌合して、そのダボ上に空間内に位置する棚板を支持できるようになっている。
【００３８】
上記扉３１〜３５は、上下複数の丁番２８，２８（図では仮想線にて示す）で揺動可能に収納本体１に支持された揺動型の第１〜第４の４枚の扉３１〜３４と、及び同様に支持された１枚の共通扉３５とからなる。
【００３９】
第１〜第４の４枚の扉３１〜３４は、上部ユニット３及び下部ユニット５の各々の空間の前側開口を個別に開閉するものであり、第１扉３１は、右端部が上部ユニット３の右側側板３ｂに上下２つの丁番２８，２８により揺動可能に支持されて、上部ユニット３の仕切壁３ｆ右側の空間における右半部の前側開口を開閉するようになっている。第２扉３２は、左端部が上部ユニット３の仕切板３ｆに上下２つの丁番２８，２８により揺動可能に支持されて、上部ユニット３の仕切壁３ｆ右側の空間における左半部の前側開口を開閉する。第３扉３３は、右端部が下部ユニット５の右側側板５ｂに上下２つの丁番２８，２８により揺動可能に支持されて、下部ユニット５の仕切壁５ｆ右側の空間における右半部の前側開口を開閉する。第４扉３４は、左端部が下部ユニット５の仕切板５ｆに上下２つの丁番２８，２８により揺動可能に支持されて、下部ユニット５の仕切壁５ｆ右側の空間における左半部の前側開口を開閉する。第１扉３１及び第２扉３２は、閉じ位置で下端部が上部ユニット３の底板３ｄ下面よりも僅かに下側に、また第３扉３３及び第４扉３４の上端部は、閉じ位置で下部ユニット５の天板５ｃ上面よりも僅かに上側にそれぞれ突出しており、各扉３１〜３４を開くときには、この突出部に手を掛けて開くようになっている。
【００４０】
これに対し、共通扉３５は、上部ユニット３の仕切板３ｆの左側部分から中間ユニット８を経て下部ユニット５の仕切板５ｆ左側部分まで上下部ユニット３，５（第１収納部）及び中間ユニット８（第２収納部）に跨がるように設けられており、上部ユニット３の仕切壁３ｆ左側の空間の前側開口（第１収納部の開口の一部）と、中間ユニット８全体の前側開口（第２収納部の開口の全体）と、下部ユニット５の仕切壁５ｆ左側の空間の前側開口（第１収納部の開口の一部）とを開閉する。
【００４１】
さらに、この共通扉３５は、中間ユニット８（第２収納部）の上下中間部の下端寄り部分において上側部３５ａ及び下側部３５ｂに上下に分割されている。すなわち、図５にも示すように、共通扉３５の上側部３５ａは、上部ユニット３の仕切板３ｆの左側部分から中間ユニット８の下端寄り位置まで上部ユニット３及び中間ユニット８に跨がるように延び、その左端部が上部ユニット３の左側側板３ａと中間ユニット８の左側の側板１０とに上下２つの丁番２８，２８により揺動可能に支持されており、この上側部３５ａにより、上部ユニット３の仕切壁３ｆ左側の空間の前側開口と、中間ユニット８の上側大半の空間の前側開口とを開閉するようにしている。
【００４２】
また、共通扉３５の下側部３５ｂは、下部ユニット５の仕切板５ｆの左側部分から中間ユニット８の下端寄り位置（第５扉３５の下端部近傍位置）まで下部ユニット５及び中間ユニット８に跨がるように延び、その左端部が中間ユニット８の左側の側板１０と下部ユニット５の左側側板５ａとに上下２つの丁番２８，２８により揺動可能に支持されており、この下側部３５ｂにより、下部ユニット５の仕切壁５ｆ左側の空間の前側開口と、中間ユニット８の下端部の空間の前側開口とを開閉するようになっている。
【００４３】
そして、共通扉３５の上側部３５ａ及び下側部３５ｂの幅は互いに同じで、中間ユニット８の左側側板１０の左側面と右側側板１１の右側面との間の距離よりも僅かに大きく、共通扉３５の上側部３５ａ及び下側部３５ｂは、いずれもその閉じ位置では、揺動端である右端部が中間ユニット８の右側側板１１の右面よりも僅かな突出量Ｐ（例えばＰ＝５ｍｍ）だけ右側に突出していて、突出部３７，３７を有しており、上側部３５ａ及び下側部３５ｂの各々を開くときには、この突出部３７を手掛かり部としてそれに手を掛けて開くようになっている。
【００４４】
尚、上述したように、上部及び下部ユニット３，５の仕切板３ｆ，５ｆと中間ユニット８の右側側板１１との間に左右方向のずれがあるので、このずれに起因して、共通扉３５の上側部３５ａ及び下側部３５ｂの右端部が中間ユニット８の右側側板よりも突出する。それに対し、上側部３５ａの右端部は上部ユニット３の仕切板３ｆよりも僅かに左側に位置し、下側部３５ｂの右端部も下部ユニット５の仕切板５ｆよりも僅かに左側に位置している。
【００４５】
次に、上記壁面収納装置Ａを壁面Ｗに固定支持して施工する方法について説明する。予め、収納本体１の上部及び下部ユニット３，５は箱状に組み立てておく。これに対し、中間ユニット８は施工の際に組み立てる。
【００４６】
まず、取り付けようとする壁面Ｗの例えば下部に下部ユニット５を背板５ｅにて固定する。次いで、この下部ユニット５の天板５ｃ上面の左端位置（左側の側板５ａ上の位置）に中間ユニット８の左側側板１０を、また天板５ｃ上面の左端寄りの所定位置に中間ユニット８の右側側板１１をそれぞれ起立させて固定する。このとき、各側板１０，１１の下端部はダボ構造により天板５ｃに固定する。また、側板１０，１１は、各々に形成されている嵌合溝が後側になるように起立させる。
【００４７】
この後、中間ユニット８の左右の側板１０，１１の後端部にＬ字金具１５，１５を介して背板１２を連結固定する。具体的には、この背板１２は、左右の端部が左右の側板１０，１１の嵌合溝に嵌挿されるように上側から下に向かって差し込む。この背板１２を下端部が下部ユニット５の天板５ｃに当接するまで完全に差し込み、差込みが終わると、Ｌ字金具１５，１５により背板１２を側板１０，１１と共に壁面Ｗに固定する。
【００４８】
次いで、中間ユニット８の左右の側板１０，１１上に上部ユニット３を持ち上げて、その上部ユニット３の底板３ｄ下面の左端位置（左側の側板３ａの位置）に中間ユニット８の左側側板１０の上端部を、また上部ユニット３の底板３ｄの左端寄りの所定位置に中間ユニット８の右側側板１１の上端部をそれぞれダボ構造により固定する。
【００４９】
最後に、この上部ユニット３を背板３ｅにて壁面Ｗの上部に固定した後、４枚の扉３１〜３４と、分割された共通扉３５（上側部３５ａ及び下側部３５ｂの２枚）とを個別に順に丁番２８，２８により取付支持すればよい。
【００５０】
以上のような施工方法により、壁面収納装置Ａを壁面Ｗに固定支持できる。こうすれば、施工時に中間ユニット８を箱状に組み立てる手間が不要となって、施工効率が良くなり、作業コストも低くなるメリットがある。
【００５１】
尚、上記の施工方法の他、以下の方法で施工することもできる。すなわち、上記の施工方法と同様に、下部ユニット５を壁面Ｗに固定した後、その上の左端部に中間ユニット８の左側の側板１０を起立させて固定する。一方、中間ユニット８の右側の側板１１については、下部ユニット５の上面の右端部に起立させて仮止め状態で固定する。この後、上部ユニット３を持ち上げて中間ユニット８の左右の側板１０，１１上に載置し、その上部ユニット３を左右の両端部で左右の側板１０，１１により支持した状態で、上部ユニット３の下面の左端部に左側の側板１０の上端部を固定するとともに、上部ユニット３を壁面Ｗに固定する。その後、上記仮止め状態にある右側の側板１１を左端寄りの本来の位置に平行移動させ、その上下端部を上部ユニット３の底板３ｄ及び下部ユニット５の天板５ｃに固定する。しかる後に扉３１〜３５を取り付ける。この場合、１人の作業者であってもより一層容易に施工することができる。
【００５２】
したがって、この実施形態では、上部ユニット３及び下部ユニット５と、それよりも小さい左右幅を有する中間ユニット８とが上下に隣接して配置され、共通扉３５は３つのユニット３，５，８に跨がるように配置されて、この共通扉３５により上部ユニット３の仕切壁３ｆ左側の空間の前側開口と、中間ユニット８全体の前側開口と、下部ユニット５の仕切壁５ｆ左側の空間の前側開口とが開閉される。こうして共通扉３５によって隣接する３つのユニット３，５，８の開口を開閉するので、共通扉３５が３つのユニット３，５，８に跨がって配置されて、その大きさも大きくなり、すっきりした外観見映えが得られて収納装置Ａ全体の意匠性が高くなる。
【００５３】
また、共通扉３５の上側及び下側部３５ａ，３５ｂの左右幅は中間ユニット８の左右幅よりも大きく形成され、これら上側及び下側部３５ａ，３５ｂの揺動端部（右端部）に、共通扉３５の閉じ位置で中間ユニット８の右側側板１１よりも左右方向に突出する突出部３７，３７が設けられているので、その閉じ位置にある共通扉３５の突出部３７，３７を手掛かり部とし、各突出部３７に手を掛けて引っ張ることで、共通扉３５の上側及び下側部３５ａ，３５ｂを開くことができる。この突出部３７の形成は、単に共通扉３５の上側及び下側部３５ａ，３５ｂの左右幅の寸法を中間ユニット８の左右幅よりも大きく設定するだけで済み、その共通扉３５に対する切欠きや凹部等の加工、引手金具やプッシュオープン金具の取付けは全く不要となり、その分、製造コストを下げることができる。このことによって、ハンドルレスデザインの収納装置Ａを低コストで製造することができる。
【００５４】
また、上記の扉構造により、扉３１〜３５を閉めたときと開いたときとの形態が変化し、図１に示す閉じ状態から扉３１〜３５をあけたときに、図３に示すように、特に共通扉３５の開き位置によって、中間ユニット８の天板としての上部ユニット３の底板３ｄと、中間ユニット８の底板としての下部ユニット５の天板５ｃとが現れ、実際の収納部の配置が共通扉３５の位置によって想像される配置とは異なるという意外性を期待することができる。
【００５５】
しかも、共通扉３５は上側部３５ａ及び下側部３５ｂに上下に分割され、分割部の位置は、中間ユニット８の下端寄り位置に位置しているので、この分割位置も上下部ユニット３，５及び中間ユニット８の境界部とは異なる位置となり、このことでも同様に意外性を期待できる効果が得られる。
【００５６】
さらに、共通扉３５が上側及び下側部３５ａ，３５ｂに上下に分割されていることにより、その分割された上側及び下側部３５ａ，３５ｂそのものが小さくかつ軽くなり、仮に分割されていない共通扉３５を開く場合に比べ、上部ユニット３、下部ユニット５及び中間ユニット８のうちの必要な部分のみを小さな力で開閉できる。また、共通扉３５の分割されている上側及び下側部３５ａ，３５ｂが小さくなることで、その反り自体も生じ難くなり、収納装置Ａの外観見映えが安定する。
【００５７】
また、本実施形態では、壁面収納装置Ａの収納本体１は、上部ユニット３（天袋ユニット）、下部ユニット５及び１つの中間ユニット８を備え、その中間ユニット８は、上部及び下部ユニット３，５に連結固定された左右の側板１０，１１を有するが、中間ユニット８の天板は上部ユニット３の底板３ｄの左端部で構成され、底板は下部ユニット５の天板５ｃの左端部で構成されている。すなわち、中間ユニット８の天板が上部ユニット３の底板３ｄの左端部と兼用され、底板が下部ユニット５の天板５ｃの左端部と兼用される。このことから、中間ユニット８と上部及び下部ユニット３，５とが接する部分で２枚の板材が重なった構造はなくなる。そのため、中間ユニット８は、左右の側板１０，１１及び背板１２だけで済み、その分、板材の使用量を減らして材料や製造コスト等を低減することができる。また、板材の重なった部分がなくなるので、収納装置Ａ全体で板厚が同等になり、扉３１〜３５が開いた状態ですっきりした外観見映えが得られる。
【００５８】
そのとき、中間ユニット８の背板１２は、左右の側板１０，１１にＬ字金具１５，１５や接着剤により連結固定されているので、左右の側板１０，１１に背板１２を簡単な構造で容易に連結することができる。
【００５９】
しかも、中間ユニット８の左右の側板１０，１１は上部及び下部ユニット３，５にダボ構造により固定されているので、上部及び下部ユニット３，５に対する中間ユニット８の側板１０，１１の固定がダボ構造によって容易になる。
【００６０】
そして、上記中間ユニット８は、その天板及び底板が上部及び下部ユニット３，５で兼用されて、実質的に側板１０，１１及び背板１２のみからなるものであるので、例えば室内の天井高さ等に合わせて壁面収納装置Ａ全体の高さを変更するときには、その側板１０，１１及び背板１２の各高さ（上下長さ）を変えるだけで済み、箱状の中間ユニットに比べて、壁面収納装置Ａの高さの変更を容易に行うことができる。そのとき、壁面収納装置Ａの高さに応じて共通扉３５の高さも変更する必要がある。
【００６１】
（その他の実施形態）
上記実施形態では、共通扉３５を中間ユニット８（第２収納部）の上下中間部の下端寄り部分において上側部３５ａ及び下側部３５ｂに上下に分割しているが、分割位置を中間ユニット８の上下中間部の他の位置に変えてもよく、さらに共通扉３５は３枚以上に分割してもよい。また、共通扉は、上下に分割されていない１枚のものであってもよい。
【００６２】
上記実施形態では、１つの中間ユニット８が上部及び下部ユニット３，５の左側部に配置されているが、この中間ユニット８を上部及び下部ユニット３，５の右側部に配置するようにしてもよく、その場合も壁面収納装置はコ字状となる。
【００６３】
また、中間ユニット８を１つから２つに増やし、その２つの中間ユニット８，８を上部及び下部ユニット３，５の左右両側部に配置してもよい。２つの中間ユニット８，８の各々の構造は上記実施形態と同じである。この場合には、正面から見てロ字状の壁面収納装置が得られる。
【００６４】
以上のコ字状やロ字状の壁面収納装置は、施工する箇所に応じて適宜選択すればよい。
【００６５】
さらに、上記実施形態では、第１収納部としての上部及び下部ユニット３，５を２つとし、第２収納部としての中間ユニット８を１つとしているが、これら第１及び第２収納部の数は変更することができる。例えば、１つの第１収納部の上側（又は下側）に１つの第２収納部を隣接して並んだ状態で配置して、収納装置をＬ字型（又はその逆形状）としてもよい。或いは、上下に並んだ２つの第１収納部の左右中央部間に第２収納部を配置したＩ字型、上下に並んだ３つの第１収納部の間にそれぞれ第２収納部を配置したＥ字型等がある。いずれの場合も、第１収納部の開口の一部と、第２収納部の開口の全体とを開閉する揺動型の共通扉を第１及び第２収納部に跨がるように設け、その共通扉の左右幅を第２収納部の左右幅よりも大きく形成して、共通扉の揺動端部に、共通扉の閉じ位置で第２収納部の側板よりも左右方向に突出する突出部を設ければよい。
【産業上の利用可能性】
【００６６】
本発明は、共通扉に対する切欠きや凹部等の加工、引手金具やプッシュオープン金具の取付けを不要として製造コストを下げることができるので、極めて有用で産業上の利用可能性が高い。
【符号の説明】
【００６７】
Ｆ  壁面
Ａ  壁面収納装置
１  収納本体
３  上部ユニット（第１収納部）
３ｄ  底板
３ｆ  仕切板
５  下部ユニット（第１収納部）
５ｃ  天板
５ｆ  仕切板
８  中間ユニット（第２収納部）
１０  左側の側板
１１  右側の側板
２８  丁番
３５  共通扉
３５ａ  上側部
３５ｂ  下側部
３７  突出部
Ｐ  突出量
【図１】
2020090807.tif 000003
【図２】
2020090807.tif 000004
【図３】
2020090807.tif 000005
【図４】
2020090807.tif 000006
【図５】
2020090807.tif 000007